(57)【特許請求の範囲】
【請求項１】
光透過面(20)に開閉カバー(３)を具えた光学機器において、カバー(３)の裏面に帯電部材(４)を具え、機器本体(１)には光透過面(20)から外れた位置にてカバー(３)の移行路に面して、帯電部材(４)と接触可能に擦り部材(５)を配備し、カバー(３)を閉じる際に帯電部材(４)と擦り部材(５)を擦り合わせて帯電部材(４)に静電気を帯電させ、カバー(３)の閉じ位置で帯電部材(４)を光透過面(20)に非接触で対向させて、光透過面(20)に付着した埃を帯電部材(４)に吸着させることを特徴とする光透過面の埃除去機能を具えた光学機器。
【請求項２】
機器本体(１)に、帯電部材(４)に帯電した静電気を除去する導電部材(６)が帯電部材(４)の移行路に面して配備され、該導電部材(６)は、擦り部材(５)よりもカバー(３)の開き側に位置している請求項１に記載の光透過面の埃除去機能を具えた光学機器。
【請求項３】
デジタルスチルカメラのレンズ(２)のカバー(３)に帯電部材(４)が設けられている請求項１又は２に記載の光透過面の埃除去機能を具えた光学機器。
【発明の詳細な説明】
【０００１】
【発明の属する分野】
本発明は、デジタルスチルカメラ、プロジェクター等の光学機器の光透過面に付着した埃を、光透過面に設けたカバーの開閉で生じる静電気を利用して除去する光学機器に関するものである。
【０００２】
【従来の技術及び発明が解決しようとする課題】
デジタルスチルカメラのレンズは、電源ＯＦＦ時はカバーで保護され、電源ＯＮでカバーが開いてレンズが露出するものが一般的である。
カバーによって、レンズの損傷やレンズ光透過面への埃の付着を防止できる。しかし、撮影のためにレンズを露出させたときに、埃がレンズ光透過面に付着すると、画質を低下させてしまう。
デジタルスチルカメラに設けられた液晶表示部を見ながらでの撮影では、レンズ光透過面の汚れに気付き難い。
又、ビューファインダーを覗いて撮影する場合は、レンズを通して被写体を見ないので、レンズ光透過面の汚れは判らない。
【０００３】
そこで、レンズカバーの裏面にクリーニング部材を装着しておき、カバーの開閉によって、自動的にレンズ光透過面の埃を除去することも実施されているが、光透過面を直接にクリーニング部材で拭き取ると、光透過面を傷つける問題がある。
本発明は、レンズカバーの開閉によって静電気を生じさせ、該静電気で光透過面の埃を吸着することにより、上記問題を解決できる埃除去機能を具えたデジタルスチルカメラ等の光学機器を明らかにするものである。
【０００４】
【課題を解決する手段】
本発明は、光透過面(20)に開閉カバー(３)を具えた光学機器において、カバー(３)の裏面に帯電部材(４)を具え、機器本体(１)には光透過面(20)から外れた位置にてカバー(３)の移行路に面して帯電部材(４)と接触可能に擦り部材(５)を配備している。
【０００５】
【作用及び効果】
カバー(３)を閉じる際に、帯電部材(４)が擦り部材(５)に擦れて静電気が帯電する。カバー(３)を閉じ位置で帯電部材(４)が光透過面(20)に非接触で対向し、光透過面(20)に付着した埃を帯電部材(４)が吸着する。
【０００６】
上記の如く、カバー(３)の開閉によって、光透過面(20)に付着した埃が自動的に除去される。このため、光透過面(20)の埃による汚れに気付かずに画質を低下させることはない。又、光透過面(20)と非接触で埃を除去できるから、光透過面(20)を傷付けることもない。
【０００７】
【発明の実施の形態】
図１、図２は、本発明を実施したデジタルスチルカメラを示しており、横長のカメラ本体(１)の前面にレンズ(２)及び該レンズ(２)の上方にストロボ(21)を具え、本体上面にモードスイッチ(22)及びシャッターボタン(23)を具え、本体側面にスピーカ(24)、本体背面に液晶表示部(図示せず)を具えている。
【０００８】
本体(１)の前面に横長の浅い凹み部(11)が形成され、該凹み部の一端側略１／２の範囲に覆い壁(12)が被さり、凹み部(11)と覆い壁(12)との間がカバー収納部(13)となり、カバー(３)が引き出し可能に収納されている。
レンズ(２)は、覆い壁(12)に隠れていないが覆い壁(12)に接近して凹み部(11)内に位置している。
【０００９】
カバー(３)は、カメラの電源がＯＮになるとスライド駆動装置(図示せず)が動作して、自動的に開いて収納部(13)に収納され、電源がＯＦＦになると自動的に収納部(13)から引き出されて閉じ、レンズ(２)を隠す。
【００１０】
カバー(３)の裏面に絶縁性の帯電部材(４)が装着され、該帯電部材(４)は、カバー(３)が閉じた状態におけるレンズ(２)との対向部分に、レンズ(２)とは隙間を存して位置している。
実施例の帯電部材(４)は静電気が溜まり易いプラスチック板であり、
【００１１】
本体(１)の凹み部(11)には、収納部(13)に隠れる位置に且つカバー(３)の移行路に面して擦り部材(５)及び導電部材(６)が配備される。
擦り部材(５)はレンズ(２)に隣り合わせに位置している。
擦り部材(５)は、カバー(３)がスライドする際に、前記帯電部材(４)と擦すれ合って帯電部材(４)に静電気を帯電させるもので、実施例の擦り部材(５)は、ナイロン等の絶縁性合成繊維にて縦長に形成されている。
【００１２】
導電部材(６)は、擦り部材(５)に隣合わせに且つ擦り部材(５)よりもカバー(３)の閉じ側に位置している。
導電部材(６)は、帯電部材(４)に接触して静電気を除去するもので、実施例では、カーボン等の導電材料で表面処理された縦長のブラシ状に形成されている。図７ａに示す如く、カバー(３)が開いた状態で、帯電部材(４)のカバー開き側端部(4a)が導電部材(６)に接触し、図７ｃの如く、カバー(３)が閉じた状態で、帯電部材(４)は擦り部材(５)から外れてレンズ(２)に対向する。
【００１３】
然して、図７ａに示す如く、カバー(３)が開いた状態で、カメラの電源がＯＦＦになると、図７ｂに示す如く、カバー(３)が自動的に閉じ始め、帯電部材(４)と擦り部材(５)が擦れ合って、帯電部材(４)に静電気が帯電する。図７ｃに示す如く、カバー(３)が閉じた状態で、帯電部材(４)はレンズ(２)の光透過面(20)に対向する。
レンズ(２)の光透過面(20)に付着している埃は、帯電部材(４)に溜まった静電気によって帯電部材(４)に吸着される。
【００１４】
撮影のために、カメラの電源をＯＮにすると、図７ｄに示す如く、カバー(３)が自動的に閉じ始めて、図７ｅに示す如く、帯電部材(４)は導電部材(６)と擦れ合い、導電部材(６)に帯電した静電気が除去され、帯電部材(４)に吸着されていた埃は落下する。
【００１５】
上記の如く、カバー(３)の開閉毎に、光透過面(20)に付着した埃が自動的に除去される。このため、光透過面(20)の埃による汚れに気付かずに、画質を低下させることはない。又、光透過面(20)に非接触で埃を除去できるから、光透過面(20)を傷つけることもない。
【００１６】
図８は、プロジェクターに本発明を実施したもので、本体(１)の前面に、レンズ(２)が位置し、レンズ(２)に隣り合わせにカバー収納部(13)が設けられ、該収納部(13)に引き出し可能にカバー(３)が収容される。
カバー(３)の裏面に帯電部材(図示せず)が装着され、収納部(13)内にて該帯電部材の移行路に面して擦り部材(５)及び導電部材(６)が配備されている。
前記同様にして、カバー(３)を閉じる際に、帯電部材と擦り部材(５)が擦れあって、帯電部材に静電気が帯電する。カバー(３)の閉じ位置で帯電部材がレンズ(２)に非接触で対向し、レンズ(２)に付着した埃を帯電部材が吸着する。
【００１７】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００１８】
例えば、導電部材(６)は帯電部材(４)の移行路に接近した位置にあれば、非接触でも帯電部材(４)の静電気を除去することができる。
【００１９】
又、カバー(３)は実施例の様な直線スライド式でなくても、回転スライド式としても、同様の効果を得ることができる。
【００２０】
又、上記実施例は、レンズ(２)に直接に埃が付着した場合における、埃の除去について説明したが、レンズが本体(１)内に収容され、本体の透明窓を透してレンズに入光させる構造の光学機器にも実施可能であり、この場合、透明窓の表面が光透過面となり、該光透過面に付着した埃を取り除くことになる。
【００２１】
実施出来る光学機器は、上記以外に、監視カメラ、ビデオカメラ、望遠鏡、顕微鏡等を挙げることができ、光透過面にカバーを具えた光学機器であれば実施可能である。
【図面の簡単な説明】
【図１】デジタルスチルカメラの前方側からの斜面図である。
【図２】デジタルスチルカメラの後方側からの斜面図である。
【図３】レンズ、擦り部材、導電部材の位置関係を示す正面図である。
【図４】図３Ａ−Ａ線に沿う断面図である。
【図５】カバーの背面図である。
【図６】図６は、図５Ｂ−Ｂ線に沿う断面図である。
【図７】図７ａ、ｂ、ｃ、ｄ、ｅは、カバーの開閉動作における帯電部材と、擦り部材及び導電部材の関係を示す説明図である。
【図８】図８は、他の実施例の斜面図である。
【符号の説明】
(１)  本体
(２)  レンズ
(20)  光透過面
(３)  カバー
(４)  帯電部材
(５)  擦り部材
(６)  導電部材
【図１】
0004107880.tif 000002
【図２】
0004107880.tif 000003
【図３】
0004107880.tif 000004
【図４】
0004107880.tif 000005
【図５】
0004107880.tif 000006
【図６】
0004107880.tif 000007
【図７】
0004107880.tif 000008
【図８】
0004107880.tif 000009